(57)【要約】【課題】画像公開サーバ上で画像を公開する際、特定領域の位置情報が知られることを防止できる画像公開サーバ、端末装置、画像公開システム、画像公開方法及び画像公開プログラムを提供する。【解決手段】端末装置１００から送信される位置情報の付加された画像を公開する画像公開サーバ２００において、位置情報の公開を制限する特定領域に係る情報を含む公開制限情報を記憶する公開制限情報記憶部２１４と、端末装置１００から位置情報の付加された画像を受信する通信部２２０と、位置情報に係る位置が特定領域の範囲内か否かを判定する位置判定部２０４と、位置が前記特定領域の範囲内と判定された場合、少なくとも位置情報の公開を制限する状態に設定する公開制限状態設定部２１０とを備える。【選択図】図１
2014078788.tif 000002
【特許請求の範囲】
【請求項１】
端末装置から送信される位置情報の付加された画像を公開する画像公開サーバにおいて、
前記位置情報の公開を制限する特定領域に係る情報を含む公開制限情報を記憶する公開制限情報記憶部と、
前記端末装置から前記位置情報の付加された前記画像を受信する通信部と、
前記位置情報に係る位置が前記特定領域の範囲内か否かを判定する位置判定部と、
前記位置が前記特定領域の範囲内と判定された場合、少なくとも前記位置情報の公開を制限する状態に設定する公開制限状態設定部と、
を備えることを特徴とする画像公開サーバ。
【請求項２】
請求項１に記載の画像公開サーバにおいて、
前記特定領域は、画像提供者の居所領域であることを特徴とする画像公開サーバ。
【請求項３】
請求項１又は２に記載の画像公開サーバにおいて、
前記公開制限情報記憶部は、公開対象者に係る公開対象者情報を前記公開制限情報として記憶し、
前記公開制限状態設定部は、前記位置が前記特定領域の範囲内と判定された場合、前記公開対象者情報に基づいて、前記公開対象者を設定する公開対象者設定処理部を有することを特徴とする画像公開サーバ。
【請求項４】
請求項１〜３のいずれか１項に記載の画像公開サーバにおいて、
前記公開制限状態設定部は、前記位置が前記特定領域の範囲内と判定された場合、前記位置情報の付加された前記画像から前記位置情報を削除する方式、又は、前記位置情報を曖昧処理する方式に基づいて処理する公開方式処理部を有することを特徴とする画像公開サーバ。
【請求項５】
請求項３記載の画像公開サーバにおいて、
前記公開対象者情報は、前記公開対象者が前記画像に関連しているか否かを判定するための画像判定情報であり、
前記公開対象者設定処理部は、前記画像判定情報に基づき、前記画像に関連している前記公開対象者にのみ前記位置情報の公開を許可することを特徴とする画像公開サーバ。
【請求項６】
請求項３記載の画像公開サーバにおいて、
前記公開対象者情報は、画像提供者と特定関係にある前記公開対象者の情報であり、
前記公開対象者設定処理部は、前記特定関係にある前記公開対象者にのみ前記位置情報の公開を許可することを特徴とする画像公開サーバ。
【請求項７】
請求項６記載の画像公開サーバにおいて、
前記特定関係は、ネットワークグループ内で前記画像提供者と相互承認されている前記公開対象者であることを特徴とする画像公開サーバ。
【請求項８】
請求項１〜７のいずれか１項に記載の画像公開サーバにおいて、
前記位置が前記特定領域の範囲内と判定された場合、前記位置情報の公開を制限する状態を前記端末装置に確認する確認部を備えることを特徴とする画像公開サーバ。
【請求項９】
端末装置から送信される位置情報の付加された画像を公開する画像公開サーバにおいて、
前記位置情報の公開を制限する特定領域に係る情報を含む公開制限情報を記憶する公開制限情報記憶部と、
前記端末装置から前記位置情報を受信する通信部と、
前記位置情報に係る位置が前記特定領域の範囲内か否かを判定する位置判定部と、
前記位置が前記特定領域の範囲内と判定された場合、前記位置情報の公開を制限する状態に設定する公開制限状態設定部と、
を備え、
前記位置判定部の判定結果に応じた画像送信要否情報が前記端末装置に送信されることを特徴とする画像公開サーバ。
【請求項１０】
位置情報の付加された画像を画像公開サーバに送信する端末装置において、
前記位置情報の公開を制限する特定領域に係る情報を含む公開制限情報を記憶する公開制限情報記憶部と、
前記位置情報に係る位置が前記特定領域の範囲内か否かを判定する位置判定部と、
前記位置が前記特定領域の範囲内と判定された場合、少なくとも前記位置情報の公開を制限する状態に設定する公開制限状態設定部と、
を備えることを特徴とする端末装置。
【請求項１１】
位置情報を取得する位置情報取得部を備え、画像を生成する端末装置において、
前記位置情報の公開を制限する特定領域に係る情報を含む公開制限情報を記憶する公開制限情報記憶部と、
前記位置情報に係る位置が前記特定領域の範囲内か否かを判定する位置判定部と、
前記位置が前記特定領域の範囲内と判定された場合、少なくとも前記位置情報の公開を制限する状態に設定する公開制限状態設定部と、
を備えることを特徴とする端末装置。
【請求項１２】
端末装置と、前記端末装置から送信される位置情報の付加された画像を公開する画像公開サーバとを備える画像公開システムにおいて、
前記位置情報の公開を制限する特定領域に係る情報を含む公開制限情報を記憶する公開制限情報記憶部と、
前記位置情報に係る位置が前記特定領域の範囲内か否かを判定する位置判定部と、
前記位置が前記特定領域の範囲内と判定された場合、少なくとも前記位置情報の公開を制限する状態に設定する公開制限状態設定部と、
を備えることを特徴とする画像公開システム。
【請求項１３】
端末装置から送信される位置情報の付加された画像を公開する画像公開サーバの画像公開方法において、
前記端末装置から前記位置情報の付加された前記画像を受信するステップと、
前記位置情報に係る位置が前記位置情報の公開を制限する特定領域の範囲内か否かを判定するステップと、
前記位置が前記特定領域の範囲内と判定された場合、少なくとも前記位置情報の公開を制限するステップと、
を有することを特徴とする画像公開方法。
【請求項１４】
端末装置から送信される位置情報の付加された画像を公開する画像公開サーバに実行させる画像公開プログラムにおいて、
前記端末装置から前記位置情報の付加された前記画像を受信するステップと、
前記位置情報に係る位置が前記位置情報の公開を制限する特定領域の範囲内か否かを判定するステップと、
前記位置が前記特定領域の範囲内と判定された場合、少なくとも前記位置情報の公開を制限するステップと、
が実行されることを特徴とする画像公開プログラム。
【発明の詳細な説明】
【技術分野】
【０００１】
本発明は、位置情報の付加された画像を公開する画像公開サーバ、端末装置、画像公開システム、画像公開方法及び画像公開プログラムに関する。
【背景技術】
【０００２】
従来から、デジタルカメラやカメラ付携帯端末装置等の端末装置を用いて撮影した画像を、ネットワークを介してサーバに送信して公開に付し、閲覧者がその画像を閲覧できるようにしたサービスが展開されている。通常、これらの端末装置は、端末装置の位置情報を取得するＧＰＳ受信機等の位置情報取得部を備えており、撮影した画像に対して、撮影時に取得した位置情報を付加するものが知られている（特許文献１、２）。
【０００３】
この場合、位置情報の付加された画像がサーバに送信され、公開可能な状態に置かれると、画像に付加された位置情報に基づき、画像提供者の位置が第三者に知られてしまうおそれがある。
【０００４】
特許文献３は、画像に付加された位置情報が、画像提供者の自宅位置を含む配信許可エリア内の位置を示す場合、ネットワークを介した画像の配信を許可し、配信許可エリア外の位置を示す場合には、画像の配信を禁止し、又は、配信を延期するようにした画像配信装置を開示している。
【０００５】
この画像配信装置によれば、画像提供者が自宅から離れた場所で撮影を行っている場合には、位置情報の付加された画像が配信されないため、画像提供者が自宅に不在（留守）であることを第三者に知られるのを防ぐことができる。これにより、空き巣等の被害を未然に防止することが可能となる。
【先行技術文献】
【特許文献】
【０００６】
【特許文献１】特開２０１０−４１１７０号公報
【特許文献２】特開２００８−３１１７０８号公報
【特許文献３】特開２０１２−３４３５７号公報
【発明の概要】
【発明が解決しようとする課題】
【０００７】
しかしながら、特許文献３の画像配信装置の場合、自宅で撮影を行ったときには、自宅の位置情報が付加された画像の配信が許可されるため、画像提供者の自宅位置が第三者に知られ得る状態になってしまう。この場合、プライバシー上の問題が生じるだけでなく、画像提供者がストーカ等の被害を被る危険性もある。
【０００８】
本発明は、前記の課題を解決するためになされたものであって、画像公開サーバ上で画像情報を公開する際、特定領域の位置情報が知られることを防止できる画像公開サーバ、端末装置、画像公開システム、画像公開方法及び画像公開プログラムを提供することを目的とする。
【課題を解決するための手段】
【０００９】
本発明に係る画像公開サーバは、端末装置から送信される位置情報の付加された画像を公開する画像公開サーバにおいて、前記位置情報の公開を制限する特定領域に係る情報を含む公開制限情報を記憶する公開制限情報記憶部と、前記端末装置から前記位置情報の付加された前記画像を受信する通信部と、前記位置情報に係る位置が前記特定領域の範囲内か否かを判定する位置判定部と、前記位置が前記特定領域の範囲内と判定された場合、少なくとも前記位置情報の公開を制限する状態に設定する公開制限状態設定部と、を備えることを特徴とする。
【００１０】
本発明に係る画像公開サーバは、端末装置から送信される位置情報の付加された画像を公開する画像公開サーバにおいて、前記位置情報の公開を制限する特定領域に係る情報を含む公開制限情報を記憶する公開制限情報記憶部と、前記端末装置から前記位置情報を受信する通信部と、前記位置情報に係る位置が前記特定領域の範囲内か否かを判定する位置判定部と、前記位置が前記特定領域の範囲内と判定された場合、前記位置情報の公開を制限する状態に設定する公開制限状態設定部と、を備え、前記位置判定部の判定結果に応じた画像送信要否情報が前記端末装置に送信されることを特徴とする。
【００１１】
本発明に係る端末装置は、位置情報の付加された画像を画像公開サーバに送信する端末装置において、前記位置情報の公開を制限する特定領域に係る情報を含む公開制限情報を記憶する公開制限情報記憶部と、前記位置情報に係る位置が前記特定領域の範囲内か否かを判定する位置判定部と、前記位置が前記特定領域の範囲内と判定された場合、少なくとも前記位置情報の公開を制限する状態に設定する公開制限状態設定部と、を備えることを特徴とする。
【００１２】
本発明に係る端末装置は、位置情報を取得する位置情報取得部を備え、画像を生成する端末装置において、前記位置情報の公開を制限する特定領域に係る情報を含む公開制限情報を記憶する公開制限情報記憶部と、前記位置情報に係る位置が前記特定領域の範囲内か否かを判定する位置判定部と、前記位置が前記特定領域の範囲内と判定された場合、少なくとも前記位置情報の公開を制限する状態に設定する公開制限状態設定部と、を備えることを特徴とする。
【００１３】
本発明に係る画像公開システムは、端末装置と、前記端末装置から送信される位置情報の付加された画像を公開する画像公開サーバとを備える画像公開システムにおいて、前記位置情報の公開を制限する特定領域に係る情報を含む公開制限情報を記憶する公開制限情報記憶部と、前記位置情報に係る位置が前記特定領域の範囲内か否かを判定する位置判定部と、前記位置が前記特定領域の範囲内と判定された場合、少なくとも前記位置情報の公開を制限する状態に設定する公開制限状態設定部と、を備えることを特徴とする。
【００１４】
本発明に係る画像公開方法は、端末装置から送信される位置情報の付加された画像を公開する画像公開サーバの画像公開方法において、前記端末装置から前記位置情報の付加された前記画像を受信するステップと、前記位置情報に係る位置が前記位置情報の公開を制限する特定領域の範囲内か否かを判定するステップと、前記位置が前記特定領域の範囲内と判定された場合、少なくとも前記位置情報の公開を制限するステップと、を有することを特徴とする。
【００１５】
本発明に係る画像公開プログラムは、端末装置から送信される位置情報の付加された画像を公開する画像公開サーバに実行させる画像公開プログラムにおいて、前記端末装置から前記位置情報の付加された前記画像を受信するステップと、前記位置情報に係る位置が前記位置情報の公開を制限する特定領域の範囲内か否かを判定するステップと、前記位置が前記特定領域の範囲内と判定された場合、少なくとも前記位置情報の公開を制限するステップと、を実行することを特徴とする。
【発明の効果】
【００１６】
本発明によれば、位置情報の付加された画像を画像公開サーバで取得し、位置情報が特定領域の範囲内であるとき、その位置情報の公開を制限することにより、特定領域が所定の閲覧者以外に知られることを防止することができる。従って、特定領域に関して、プライバシーの侵害や、ストーカ等の被害を被る危険性を回避することができる。また、位置情報の公開を制限し、画像だけを公開することもできるため、公開の自由度が著しく制約されることもない。
【００１７】
また、本発明によれば、画像に付加される位置情報のみを画像公開サーバで取得し、位置情報が特定領域の範囲内であるとき、画像の取得を制限して位置情報の公開を制限することにより、特定領域の位置情報が知られることを防止できるとともに、画像の無駄な送受信を回避することができる。
【００１８】
また、本発明によれば、位置情報の付加された画像を画像公開サーバに送信する端末装置において、位置情報が特定領域の範囲内であるとき、画像公開サーバへの画像の送信を制限して位置情報の公開を制限することにより、特定領域の位置情報が知られることを防止できるとともに、画像の無駄な送受信を回避することができる。
【図面の簡単な説明】
【００１９】
【図１】第１実施形態の画像公開システムのブロック図である。
【図２】特定領域データテーブルの説明図である。
【図３】公開対象者データテーブルの説明図である。
【図４】図４Ａは、特定関係指定メニュー画面の説明図、図４Ｂは、公開方式指定メニュー画面の説明図、図４Ｃは、公開条件データテーブルの説明図である。
【図５】公開設定データテーブルの説明図である。
【図６】第１実施形態の画像公開システムにおける公開制限情報等の初期設定の処理フローチャートである。
【図７】第１実施形態の画像公開システムの処理フローチャートである。
【図８】画像に含まれる顔画像と登録顔画像とを照合する処理の説明図である。
【図９】タグが付加された画像の説明図である。
【図１０】図１０Ａは、閲覧者が公開対象者であり、画像のみを公開する公開方式が指定されている表示画面の説明図、図１０Ｂは、閲覧者が公開対象者であり、パスワードを設定して公開する公開方式が指定されている画像に対して、閲覧者がパスワードを入力したときの表示画面の説明図である。
【図１１】図１１Ａ及び図１１Ｂは、閲覧者が公開対象者であり、曖昧処理して公開する公開方式が指定されている表示画面の説明図である。
【図１２】閲覧者が公開対象者であり、画像のみを公開する公開方式が指定された画像を含む複数の画像からなるギャラリの表示画面の説明図である。
【図１３】第２実施形態の画像公開システムの処理フローチャートである。
【図１４】第３実施形態の画像公開システムのブロック図である。
【図１５】第３実施形態の画像公開システムの処理フローチャートである。
【図１６】第４実施形態の画像公開システムのブロック図である。
【図１７】第４実施形態の画像公開システムの処理フローチャートである。
【図１８】第５実施形態の画像公開システムのブロック図である。
【図１９】第５実施形態の画像公開システムの処理フローチャートである。
【図２０】特定領域データテーブルの説明図である。
【発明を実施するための形態】
【００２０】
以下、本発明の実施形態について図面を参照して説明する。
【００２１】
＜第１実施形態の構成＞
図１は、第１実施形態の画像公開システム１０のブロック図である。
【００２２】
画像公開システム１０は、画像提供者が所持する通信機能付デジタルカメラやカメラ付携帯端末装置等の端末装置１００と、端末装置１００を用いて撮影された画像情報を公開する画像公開サーバ２００と、画像公開サーバ２００により公開される画像を閲覧するための端末装置２０とを備える。これらの機器は、ネットワーク３０を介して相互に接続される。
【００２３】
［端末装置１００の構成］
端末装置１００は、端末制御部１０２、通信部１０４、撮影部１０６、位置情報取得部１０８、画像記憶部１１０、操作部１１２及び表示部１１４を備え、これらがバス１１６に接続されて構成される。
【００２４】
端末制御部１０２は、ＣＰＵ、ＲＯＭ、ＲＡＭを備え、ＲＯＭに記憶されたプログラムに基づき、端末装置１００の全体の動作制御を行う。例えば、ＲＯＭには、ブラウザのアプリケーションが記憶されている。
【００２５】
通信部１０４は、ネットワーク３０を介して画像公開サーバ２００と各種情報の送受信を行う手段である。撮影部１０６は、画像を撮影し、デジタルデータとして取得する手段である。位置情報取得部１０８は、例えば、複数のＧＰＳ衛星から衛星電波を受信し、衛星電波に含まれる各ＧＰＳ衛星の位置情報及び時刻情報に基づき、端末装置１００の位置情報を取得する手段である。なお、端末装置１００の位置情報は、端末装置１００が接続される基地局から取得するようにしてもよい。また、例えば、端末装置１００が加速度情報及び速度情報を取得可能な車載型の端末装置である場合には、これらの情報に基づいて位置情報を算出することも可能である。
【００２６】
画像記憶部１１０は、位置情報取得部１０８により取得した位置情報を、撮影部１０６によって撮影された画像に付加して記憶する手段である。この場合、位置情報は、例えば、撮影条件、撮影日時、撮影位置等のメタデータをタグとして付加したＥｘｉｆ（Exchangeable image file format）の形式で画像記憶部１１０に記憶させておくことができる。なお、以下の説明においては、位置情報が付加された画像を、必要に応じて「位置情報付画像」と称する。操作部１１２は、撮影条件の設定、画像の撮影、表示部１１４に表示されたデータ入力画面に基づく画像公開処理のための各種情報の入力、画像公開サーバ２００への画像情報の送信指示等の操作を行うための手段である。表示部１１４は、画像公開処理のためのメニュー画面等のデータ入力画面を表示し、また、撮影部１０６により撮影された画像を表示するための手段である。
【００２７】
［画像公開サーバ２００の構成］
画像公開サーバ２００は、サーバ制御部２０２と、位置判定部２０４と、公開対象者設定処理部２０６及び公開方式処理部２０８を有する公開制限状態設定部２１０と、地図情報記憶部２１２と、公開制限情報記憶部２１４と、公開設定情報記憶部２１６と、画像記憶部２１８と、通信部２２０とを備え、これらがバス２２２に接続されて構成される。
【００２８】
サーバ制御部２０２は、ＣＰＵ、ＲＯＭ、ＲＡＭを備え、ＲＯＭに記憶されたプログラムに基づき、画像公開サーバ２００の全体の動作制御を行う。また、サーバ制御部２０２は、端末装置１００に対して所定の確認処理を行う確認部２２４を有する。
【００２９】
位置判定部２０４は、端末装置１００から送信される位置情報付画像の撮影位置が、位置情報の公開を制限する特定領域の範囲内か否かを判定する判定部である。
【００３０】
公開制限状態設定部２１０は、位置判定部２０４の位置情報付画像の撮影位置についての判定結果に基づいて位置情報の公開に関する設定を行う設定部である。具体的には、位置情報付画像の撮影位置が特定領域の範囲内と判定された場合、少なくとも位置情報の公開を制限する状態に設定する。
【００３１】
公開対象者設定処理部２０６は、画像提供者により設定された公開対象者データテーブルＴＢ２（図３）を参照し、画像提供者が指定する特定関係に基づき、撮影位置が特定領域の範囲内である位置情報付画像の公開を許可する公開対象者を設定する処理を行う。公開方式処理部２０８は、公開設定データテーブルＴＢ４（図５）を参照し、画像提供者が指定する公開方式に基づき、撮影位置が特定領域の範囲内である位置情報付画像を処理する。
【００３２】
公開対象者設定処理部２０６は、公開制限情報である特定領域情報及び公開対象者情報を設定するためのアプリケーションを備える。また、公開方式処理部２０８は、公開条件である特定関係及び公開方式を設定するためのアプリケーションを備える。
【００３３】
図２は、公開を制限する特定領域情報を設定した特定領域データテーブルＴＢ１の説明図である。特定領域データテーブルＴＢ１は、公開対象者設定処理部２０６が備えるアプリケーションによって設定される。
【００３４】
特定領域データテーブルＴＢ１は、画像提供者を特定する画像提供者名又はＩＤ符号（Ｘ〜Ｚ）と、各画像提供者に対応して設定される特定領域に係る情報（特定領域情報）（ＰＸ〜ＰＺ）とから構成される。この場合、特定領域は、画像提供者であるＸ〜Ｚについての居所（自宅）、実家、知人宅等の領域である。特定領域は、例えば、住所、行政区画名（○○町等）、建物名（○○マンション等）、郵便番号（〒○○○○等）等の特定領域を示す特定領域情報として設定することができる。また、特定領域情報は、居所領域、特定の地点を中心とする所定半径以内の領域を規定する情報として設定してもよい。さらに、特定領域情報は、任意形状のポリゴン領域を規定する情報として設定してもよい。
【００３５】
図３は、位置情報付画像の公開を限定的に許可するための情報を設定した公開対象者データテーブルＴＢ２の説明図である。公開対象者データテーブルＴＢ２は、公開対象者設定処理部２０６が備えるアプリケーションによって設定される。公開対象者データテーブルＴＢ２は、公開対象者を特定する公開対象者名又はＩＤ符号（Ａ〜Ｗ）と、画像提供者と特定関係にある公開対象者に係る情報とから構成される。なお、公開対象者データテーブルＴＢ２は、画像提供者毎に設定されるテーブルである。
【００３６】
「登録顔画像」は、公開対象者が画像に関連しているか否かを、位置情報付画像に写っている被写体の顔認識により判定するための画像判定情報である。登録顔画像には、例えば、公開対象者の目、鼻、口等の配置関係を表す情報を設定することができる。公開対象者データテーブルＴＢ２では、公開対象者Ａ、Ｃ、Ｅ、Ｇ、Ｉ、Ｋ、Ｍ、Ｏ、Ｑ、Ｓ、Ｕ、Ｗに対して、登録顔画像Ｇ１〜Ｇ１２に基づく画像判定を行うための公開対象者情報が設定されている。
【００３７】
「タグ」は、公開対象者が画像に関連しているか否かを、位置情報付画像に写っている被写体を判定するための画像判定情報である。タグ情報としては、公開対象者名、固有の識別情報、ＩＤ符号（Ａ〜Ｗ）を設定することができる。公開対象者データテーブルＴＢ２では、公開対象者Ｂ、Ｃ、Ｆ、Ｇ、Ｊ、Ｋ、Ｎ、Ｏ、Ｒ、Ｓ、Ｖ、Ｗに対して、タグ情報Ｔ１〜Ｔ１２に基づく画像判定を行うための公開対象者情報が設定されている。
【００３８】
「ＳＮＳ」（Social Networking Service）は、公開対象者が画像提供者のネットワークグループであるＳＮＳに加入しているか否かを規定する公開対象者情報である。「ＳＮＳ内相互承認」は、公開対象者が画像提供者のＳＮＳ内で画像提供者と相互承認されているか否かを規定する公開対象者情報である。「知人」は、公開対象者が画像提供者と知人関係（親戚、親友、会社の同僚等）であるか否かを規定する公開対象者情報である。公開対象者データテーブルＴＢ２では、公開対象者Ｄ〜Ｋ、Ｐ〜ＷがＳＮＳ、公開対象者Ｈ〜Ｋ、Ｔ〜ＷがＳＮＳ内相互承認、公開対象者Ｌ〜Ｗが知人の公開対象者としてそれぞれ設定されている。なお、ＳＮＳへの加入の有無や知人関係に基づく公開対象者情報は、ＳＮＳではなく、画像を公開するサービスにおいて用いることにより、公開対象者を制限することができる。
【００３９】
なお、特定関係としては、公開対象者データテーブルＴＢ２に示すもの以外に、画像提供者が所有する個人的なアドレス帳のデータを公開対象者の情報として設定することもできる。個人的なアドレス帳のデータとしては、例えば、携帯電話やネットワーク上に保存されている画像提供者と特定関係にある者の情報を設定することができる。また、アドレス帳のデータは、画像提供者が自由に追加することできる。
【００４０】
図４Ａは、特定関係を指定するメニュー画面の説明図、図４Ｂは、公開方式を指定するメニュー画面の説明図である。ここで、公報方式とは、位置情報付画像の公開形態をいう。公開条件データテーブルＴＢ３は、画像提供者を特定する画像提供者名又はＩＤ符号と、指定した特定関係及び公開方式を特定するデータとにより構成される。公開条件データテーブルＴＢ３は、公開方式処理部２０８が備えるアプリケーションによって、図４Ａ、４Ｂに示すメニュー画面を端末装置１００の表示部１１４に表示させ、設定される。なお、以下の説明においては、前記特定関係及び前記公開方式を必要に応じて「公開条件」と称する。
【００４１】
図４Ａの特定関係指定メニューの項目１は、画像に写っている被写体の顔画像が登録顔画像に一致するか否かを判定し、一致する被写体を公開対象者に指定する項目である。登録顔画像は、公開対象者データテーブルＴＢ２に設定されている（図３）。項目２は、画像に写っている被写体に対して画像提供者がタグ情報を付与した場合、そのタグ情報に該当する被写体を公開対象者に指定する項目である。項目３は、画像提供者が加入するＳＮＳの会員である閲覧者を公開対象者に指定する項目である。項目４は、画像提供者が加入するＳＮＳ内で画像提供者と相互承認されている閲覧者を公開対象者に指定する項目である。項目５は、閲覧者のうち、画像提供者と知人関係にある人を公開対象者に指定する項目である。項目６は、閲覧者全員を非公開に指定する項目である。この項目６は、画像公開サーバ２００をストレージサーバとして利用し、位置情報付画像を保存させるだけの場合に指定する項目である。
【００４２】
なお、特定関係指定メニューは、１〜５の項目から複数の項目を同時に指定して、公開対象者を設定してもよい。例えば、項目１及び３を指定することにより、画像に写っている被写体の顔画像が登録顔画像に一致し、且つ、ＳＮＳの会員である閲覧者を公開対象者に指定することができる。また、項目１及び３を指定することにより、画像に写っている被写体の顔画像が登録顔画像に一致する閲覧者、又は、ＳＮＳの会員である閲覧者を公開対象者に指定するようにしてもよい。
【００４３】
図４Ｂの公開方式指定メニューの項目１は、位置情報を非公開とし、又は、位置情報を位置情報付画像から削除し、画像のみを公開する処理を行うことを指定する項目である。項目２は、位置情報に対する曖昧処理を指定する項目である。
【００４４】
曖昧処理としては、例えば、位置情報を正しい位置から所定量だけシフトさせることにより、位置情報又は位置情報に対応する位置に画像が表示されても、画像の撮影された正しい位置が知られないようにすることができる（シフト表示）。なお、位置情報をシフトさせる方法としては、例えば、位置情報に係る位置が属する行政界を他の行政界に変更する方法、位置情報に係る位置が属するブロック（道路と道路で囲まれた領域）を他のブロックに変更する方法等がある。また、曖昧処理としては、画像とともに表示される地図情報の拡大率に上限値を設定することにより、画像の撮影された詳細な位置が知られないようにすることができる（拡大表示）。さらに、曖昧処理としては、画像提供者が設定した公開制限情報である特定領域の範囲、例えば、任意形状のポリゴン領域で設定された特定領域のサイズや形状を変更し、画像の表示位置をサイズや形状の変更されたポリゴン領域に応じてずらして表示させることにより、画像の撮影された正しい位置が知られないようにすることができる。なお、位置情報のシフト量、地図情報の拡大率の上限値、ポリゴン領域のサイズや形状の変更等の曖昧処理のパラメータは、既定値として予め設定しておいてもよいが、項目２を指定した際に、パラメータを入力するメニュー画面を表示させ、画像提供者に設定させるようにしてもよい。
【００４５】
公開方式指定メニューの項目３は、位置情報付画像に対してパスワードを設定し、所定のパスワードを入力した閲覧者にのみ位置情報付画像を公開させることを指定する項目である。項目４は、位置情報付画像を非公開と指定する項目である。この項目４は、図４Ａの項目６と同様に、画像公開サーバ２００をストレージサーバとしての利用となる。項目５は、位置情報付画像を削除することを指定する項目である。項目６は、位置情報付画像の送信不可を指定する項目である。
【００４６】
なお、この項目５は、通常は、公開方式指定メニュー画面に表示されない。項目５は、例えば、なりすまし防止のために設定されている。即ち、端末装置の所有者である正規の画像提供者以外の者が正規の画像提供者の意図に反して、位置情報付画像を画像公開サーバ２００に送信されたときの場合の対応手段として設定するための項目である。このような場合には、画像公開サーバ２００において、送信された位置情報付画像の公開を防ぐために削除される。
【００４７】
地図情報記憶部２１２は、ハードディスクやＳＳＤ（Ｓｏｌｉｄ Ｓｔａｔｅ Ｄｒｉｖｅ）等のストレージ手段であり、地図情報が記憶されている。地図情報としては、地図上に表示される建造物、道路、線路、橋、トンネル、川、海、行政区画等の形状データ、地名、住所、電話番号、施設名称等の注記データ、山、史跡、学校、病院、店等の記号等のデータが含まれる。
【００４８】
公開制限情報記憶部２１４は、特定領域データテーブルＴＢ１（図２）、公開対象者データテーブルＴＢ２（図３）及び公開条件データテーブルＴＢ３（図４Ｃ）を記憶する記憶部である。
【００４９】
公開設定情報記憶部２１６は、公開設定データテーブルＴＢ４を記憶する記憶部である。図５は、公開設定データテーブルＴＢ４の説明図である。公開設定データテーブルＴＢ４は、特定領域データテーブルＴＢ１、公開対象者データテーブルＴＢ２及び公開条件データテーブルＴＢ３に基づいて作成される公開設定情報のテーブルである。公開設定データテーブルＴＢ４は、画像提供者毎に設定されるテーブルである。公開設定データテーブルＴＢ４は、位置情報付画像の画像ファイル名又は画像ファイルの記憶先を指定するファイルパスと、位置情報付画像の位置情報と、画像提供者が指定する特定関係と、画像提供者が指定する公開方式と、公開対象者設定処理部２０６で設定された公開対象者を特定する名前やＩＤ符号とから構成される。なお、図５では、後述するように、画像ファイル毎に特定関係、公開方式が異なる例を示している。
【００５０】
画像記憶部２１８は、端末装置１００から送信された位置情報付画像を記憶する記憶部である。通信部２２０は、ネットワーク３０を介して端末装置２０及び１００と情報の送受信を行う手段である。
【００５１】
＜第１実施形態の動作＞
次に、第１実施形態の画像公開システム１０の動作について説明する。図６は、第１実施形態の画像公開システム１０における公開制限情報等の初期設定の処理フローチャートである。図７は、第１実施形態の画像公開システム１０の処理フローチャートである。
【００５２】
［公開制限情報等の設定（初期設定）］
画像提供者は、画像公開サーバ２００に位置情報付画像を送信（アップロード）するのに先立ち、予め公開制限情報等を公開制限情報記憶部２１４に設定しておく。
【００５３】
画像提供者は、端末装置１００の端末制御部１０２に記憶されているブラウザを起動して画像公開サーバ２００にアクセスする。画像公開サーバ２００へアクセスするに際しては、サーバ制御部２０２は、端末装置１００に対して、画像提供者又は公開対象者を特定するためのＩＤ符号、パスワードの入力を求め、入力されたＩＤ符号、パスワードの照合を行う（ステップＳ１）。画像公開サーバ２００では、公開対象者設定処理部２０６のアプリケーションが起動され、端末装置１００に入力画面情報が送信される（ステップＳ２）。入力画面情報を受信した端末装置１００の表示部１１４には、入力画面が表示される。画像提供者は、この入力画面に従い、端末装置１００の操作部１１２を用いて、公開を制限する特定領域に係る特定領域情報を入力する。入力された特定領域情報は、画像提供者を特定する画像提供者名又はＩＤ符号とともに、通信部１０４からネットワーク３０を介して画像公開サーバ２００に送信される（ステップＳ３）。画像公開サーバ２００は、特定領域情報を通信部２２０により受信する。サーバ制御部２０２は、特定領域情報を画像提供者と関連づけ、特定領域データテーブルＴＢ１（図２）として公開制限情報記憶部２１４に記憶させる（ステップＳ４）。
【００５４】
また、公開対象者データテーブルＴＢ２が上述したステップＳ１〜ステップＳ４に基づいて設定される。かかる場合において、ステップＳ３では、表示部１１４には、入力画面が表示され、画像提供者は、操作部１１２を用いて、位置情報付画像の公開を限定的に許可する公開対象者情報を入力し、公開対象者を特定する公開対象者名又はＩＤ符号とともに公開対象者情報は画像公開サーバ２００に送信される。ステップＳ４では、画像公開サーバ２００は、受信した公開対象者情報を公開対象者と関連づけ、公開対象者データテーブルＴＢ２（図３）として公開制限情報記憶部２１４に記憶させる（ステップＳ４）。なお、公開対象者情報は、画像提供者の入力によらずに、ＳＮＳで登録されている会員情報を取得して、公開制限情報記憶部２１４に記憶させてもよい。
【００５５】
さらに、公開条件データテーブルＴＢ３が上述したステップＳ１〜ステップＳ４に基づいて設定される。かかる場合において、ステップＳ３では、表示部１１４には、図４Ａ、図４Ｂに示すメニュー画面が表示され、画像提供者は、表示されたメニュー画面に従い、操作部１１２を用いて、公開条件を入力し、画像提供者を特定する画像提供者名又はＩＤ符号とともに公開条件は画像公開サーバ２００に送信される。ステップＳ４では、サーバ制御部２０２は、受信した公開条件である特定関係及び公開方式を画像提供者と関連づけ、公開条件データテーブルＴＢ３（図４Ｃ）として公開制限情報記憶部２１４に記憶させる（ステップＳ４）。
【００５６】
この場合、図４Ａの特定関係指定メニュー画面では、位置情報付画像の撮影位置が画像提供者の指定した特定領域の範囲内である場合において、位置情報付画像の公開を限定的に許可する閲覧者と画像提供者との特定関係が指定される。また、図４Ｂの公開方式指定メニュー画面では、位置情報付画像の撮影位置が画像提供者の指定した特定領域の範囲内である場合における位置情報付画像の公開方式が指定される。図４Ｃに示す公開条件データテーブルＴＢ３は、画像提供者Ｘが、特定関係指定メニューから項目１を選択し、公開方式指定メニューから項目１を選択した場合を例示したものである。
【００５７】
［画像情報及び位置情報の取得］
次に、画像公開処理について説明する。画像提供者は、端末装置１００の撮影部１０６を用いて所望の画像を撮影する（ステップＳ１１）。一方、位置情報取得部１０８は、画像を撮影した時点又は直近の端末装置１００の位置情報を取得する（ステップＳ１２）。撮影して得られた画像は、取得した位置情報が付加された位置情報付画像として画像記憶部１１０に記憶される（ステップＳ１３）。画像記憶部１１０に記憶された位置情報付画像及びＩＤ符号は、通信部１０４からネットワーク３０を介して画像公開サーバ２００に送信される（ステップＳ１４）。
【００５８】
［公開対象者設定処理及び公開方式による処理］
サーバ制御部２０２は、通信部２２０が位置情報付画像及びＩＤ符号を受信すると（ステップＳ１５）、位置情報付画像を画像記憶部２１８に記憶させるとともに、位置情報付画像を特定するための公開設定情報である画像ファイル名を公開設定情報記憶部２１６の公開設定データテーブルＴＢ４に設定する。また、サーバ制御部２０２は、画像ファイル名に対応させて、位置情報付画像の位置情報を公開設定データテーブルＴＢ４に設定する。さらに、サーバ制御部２０２は、位置情報付画像の送信時に公開条件データテーブルＴＢ３として設定されている公開方式を公開制限情報記憶部２１４から読み出し、公開設定データテーブルＴＢ４に設定する（ステップＳ１６）。
【００５９】
次に、位置判定部２０４は、公開制限情報記憶部２１４に記憶されている特定領域データテーブルＴＢ１（図２）を読み出し、受信したＩＤ符号に対応する画像提供者の特定領域情報と、公開設定データテーブルＴＢ４に設定された各画像ファイルの位置情報とを比較し、位置情報に係る撮影位置がいずれかの特定領域の範囲内か否かを判定する（ステップＳ１７）。この場合、撮影位置が画像提供者Ｘの指定している特定領域の範囲内であるときには、当該画像ファイルは、公開を制限する対象となる。
【００６０】
撮影位置が画像提供者の特定領域の範囲内と判定された場合（ステップＳ１７、ＹＥＳ）、公開対象者設定処理部２０６は、公開対象者データテーブルＴＢ２に設定されている特定関係を公開制限情報記憶部２１４から読み出し、その特定関係に関連づけられている公開対象者を決定し、公開を許可する公開対象者情報として設定する（ステップＳ１８）。公開対象者の名前やＩＤ符号等は、公開対象者（ＩＤ符号）として公開設定データテーブルＴＢ４（図５）に設定され、公開設定情報記憶部２１６に記憶される（ステップＳ１８）。
【００６１】
また、撮影位置が画像提供者の特定領域の範囲内と判定された場合において（ステップＳ１７、ＹＥＳ）、公開方式処理部２０８は、公開設定データテーブルＴＢ４に設定されている公開方式を公開設定情報記憶部２１６から読み出し、画像記憶部２１８に記憶されている公開を許可する位置情報付画像の処理を行う（ステップＳ１９）。公開方式処理部２０８による処理（ステップＳ１９）は、公開対象者設定処理部２０６による処理（ステップＳ１８）の前に行ってもよく、又は、公開対象者設定処理部２０６と並列処理としてもよい。
【００６２】
なお、撮影位置が画像提供者の特定領域の範囲内と判定された場合（ステップＳ１７、ＹＥＳ）、ステップＳ１８及びＳ１９で設定された位置情報付画像の公開対象者や公開方式について、画像提供者に確認してもよい。具体的には、サーバ制御部２０２の確認部２２４が、撮影位置が特定領域の範囲内であるとの判定結果を端末装置１００に送信し、端末装置１００からの応答結果に基づいて、必要に応じて、公開対象者設定処理部２０６、公開方式処理部２０８に指示し、当該位置情報付画像を非公開の状態に設定し、又は、公開設定情報を書き換えて公開対象者や公開方式を変更するようにしてもよい。
【００６３】
一方、撮影位置が特定領域の範囲外と判定された場合（ステップＳ１７、ＮＯ）、公開対象者設定処理部２０６は、全ての閲覧者を公開対象者として設定する処理を行う（ステップＳ２０）。この場合、例えば、画像ファイルｐ及びｑの公開設定情報は、公開設定データテーブルＴＢ４に示すように、全ての閲覧者が公開対象者として設定されて公開設定情報記憶部２１６に記憶される（ステップＳ２０）。
【００６４】
［公開対象者設定処理及び公開方式による処理の具体例］
ここで、撮影位置が画像提供者の特定領域の範囲内と判定された場合において、公開対象者の設定処理及び公開方式に基づく位置情報付画像の処理につき、公開設定データテーブルＴＢ４に従い、具体的に説明する。なお、画像ファイルａ〜ｎは、位置情報Ｐａ〜Ｐｎが特定領域の範囲内にある位置情報付画像である。また、特定領域は、画像提供者が指定する特定領域として、特定領域データテーブルＴＢ１に設定されている。
【００６５】
画像ファイルａに対しては、位置情報付画像の送信時に特定関係として図４Ａの項目１（画像内の顔画像登録者に公開）が指定され、公開方式として図４Ｂの項目１（画像のみ公開）が指定されているとする（以下、特定関係１、公開方式１のように記載する。）。この場合、公開対象者設定処理部２０６は、図３の公開対象者情報に基づき、公開対象者Ａ、Ｃ、Ｅ、Ｇ、Ｉ、Ｋ、Ｍ、Ｏ、Ｑ、Ｓ、Ｕ、Ｗの登録顔画像Ｇ１〜Ｇ１２と、画像ファイルａの画像に写っている被写体の顔画像の特徴部分とを照合する。図８は、画像に含まれる顔画像と登録顔画像とを照合する処理の説明図である。照合の結果、画像に写っている被写体の顔画像が、登録されている公開対象者Ｃの登録顔画像に所定の範囲内で一致すると、公開対象者Ｃが画像ファイルａの公開対象者として公開設定データテーブルＴＢ４に設定される。すなわち、閲覧者が公開対象者Ｃである場合、当該閲覧者が画像ファイルａを閲覧可能となる。また、公開方式処理部２０８は、画像記憶部２１８に記憶されている画像ファイルａの位置情報付画像を処理する。画像ファイルａに対しては、公開方式１が指定されているので、位置情報付画像から位置情報を消去し、又は、位置情報付画像の位置情報と画像との関連づけを解除することにより、画像ファイルａの位置情報が公開されない状態に設定される。
【００６６】
画像ファイルｂに対しては、位置情報付画像の送信時に特定関係２（画像内のタグ設定対象者に公開）と、公開方式２（曖昧処理して公開）とが指定されているとする。公開対象者設定処理部２０６は、図３の公開対象者情報に基づき、公開対象者Ｂ、Ｃ、Ｆ、Ｇ、Ｊ、Ｋ、Ｎ、Ｏ、Ｒ、Ｓ、Ｖ、Ｗのタグ情報Ｔ１〜Ｔ１２と、画像ファイルｂの画像に写っている被写体に付加されているタグ情報とを照合する。図９は、タグ２２５が付加された画像の説明図である。この場合、タグ２２５には、タグ情報Ｔ１が付加されているため、タグ情報Ｔ１が設定されている公開対象者Ｂが画像ファイルｂの公開対象者として公開設定データテーブルＴＢ４に設定される。すなわち、閲覧者が公開対象者Ｂである場合、当該閲覧者が画像ファイルｂを閲覧可能となる。また、公開方式処理部２０８は、画像ファイルｂに対しては、位置情報を曖昧処理する。例えば、曖昧処理として、位置情報を所定量だけシフトさせた位置情報に書き換えて画像記憶部２１８に記憶させる。
【００６７】
画像ファイルｃに対しては、位置情報付画像の送信時に特定関係３（ＳＮＳ会員に公開）と、公開方式３（パスワードを設定して公開）とが指定されているとする。公開対象者設定処理部２０６は、図３の公開対象者情報に基づき、特定関係がＳＮＳに設定されている公開対象者Ｄ〜Ｋ、Ｐ〜Ｗを画像ファイルｃの公開対象者として公開設定データテーブルＴＢ４に設定する。また、公開方式処理部２０８は、画像ファイルｃに対しては、パスワードを設定する。従って、公開対象者Ｄ〜Ｋ、Ｐ〜Ｗの閲覧者であって、所定のパスワードを入力した閲覧者が画像ファイルｃを閲覧可能となる。
【００６８】
画像ファイルｄに対しては、位置情報付画像の送信時に特定関係４（ＳＮＳ内相互承認会員に公開）と、公開方式１（画像のみ公開）とが指定されているとする。公開対象者設定処理部２０６は、図３の公開対象者情報に基づき、特定関係がＳＮＳ内相互承認に設定されている公開対象者Ｈ〜Ｋ、Ｔ〜Ｗを画像ファイルｄの公開対象者として公開設定データテーブルＴＢ４に設定する。また、公開方式処理部２０８は、画像ファイルｄに対しては、位置情報付画像から位置情報を消去し、又は、位置情報付画像の位置情報と画像との関連づけを解除する。
【００６９】
画像ファイルｅに対しては、位置情報付画像の送信時に特定関係５（知人に公開）と、公開方式２（曖昧処理して公開）とが指定されているとする。公開対象者設定処理部２０６は、図３の公開対象者情報に基づき、特定関係が知人に設定されている公開対象者Ｌ〜Ｗを画像ファイルｅの公開対象者として公開設定データテーブルＴＢ４に設定する。また、公開方式処理部２０８は、画像ファイルｅに対して、位置情報を曖昧処理し、画像記憶部２１８に記憶させる。
【００７０】
なお、上記の説明では、特定関係１と公開方式１、特定関係２と公開方式２、特定関係３と公開方式３、特定関係４と公開方式１、特定関係５と公開方式２の各組み合わせが指定された画像ファイルについて説明した。特定関係と公開方式とは、これらの関係に限られるものではなく、特定関係１〜５と公開方式１〜３の任意の組み合わせから選択することができる。
【００７１】
画像ファイルｆ〜ｊは、特定関係１及び２、１及び３、１〜３及び４、１〜４及び５、６がそれぞれ指定され、公開方式が指定されていない。公開対象者設定処理部２０６は、図３の公開対象者データテーブルＴＢ２に基づき、画像ファイルｆ〜ｉの公開対象者を画像ファイルａ〜ｅの場合と同様に設定する。また、公開対象者設定処理部２０６は、画像ファイルｊについては、特定関係６（閲覧者全員に非公開）が指定されているので、公開対象者を設定しない。
【００７２】
この場合、画像ファイルｆ〜ｉには、複数の特定関係が同時に指定されている。例えば、画像ファイルｇには、特定関係１及び３が指定されている。従って、公開対象者設定処理部２０６は、公開対象者が加入しているＳＮＳ会員の登録顔画像Ｇ３〜Ｇ６、Ｇ９〜Ｇ１２と、画像ファイルｆの画像に写っている被写体の顔画像の特徴部分とを照合する。そして、顔画像が所定の範囲で一致する公開対象者Ｅ、Ｇ、Ｉ、Ｋ、Ｑ、Ｓ、Ｕ、Ｗが画像ファイルｆを閲覧可能な公開対象者に設定される。他の特定関係１〜５の組み合わせについても同様である。
【００７３】
なお、公開方式処理部２０８は、画像ファイルｆ〜ｉの公開方式を、公開方式指定メニューの公開方式１〜３のいずれかであり公開条件データテーブルＴＢ３に記載の公開方式をデフォルトの公開方式として設定することができる。この場合、画像公開サーバ２００は、公開方式処理部２０８がなく、公開対象者設定処理部２０６のみからなる構成としてもよい。
【００７４】
画像ファイルｋ〜ｎは、特定関係が指定されておらず、公開方式１〜４がそれぞれ指定されている。公開対象者設定処理部２０６は、画像ファイルｋ〜ｎの公開対象者を、特定関係指定メニューの特定関係１〜６のいずれかであり公開条件データテーブルＴＢ３に記載の特定関係をデフォルトの公開者対象者に設定することができる。また、公開方式処理部２０８は、画像ファイルｎを非公開とする処理をする。画像ファイルｎを非公開にする処理としては、例えば、画像ファイルｎに対するファイルパスを削除し、閲覧者が当該画像ファイルにアクセスできない状態とすればよい。この場合、画像公開サーバ２００は、公開対象者設定処理部２０６がなく、公開方式処理部２０８のみからなる構成としてもよい。
【００７５】
［閲覧時の処理］
次に、閲覧者の画像の閲覧処理について説明する。閲覧者が端末装置２０を用いて、画像の閲覧を要求したとする（ステップＳ２１、ＹＥＳ）。この場合は、サーバ制御部２０２は、公開設定データテーブルＴＢ４に基づき、閲覧者が閲覧しようとする画像ファイルに設定されている公開対象者であるか否かを判定する（ステップＳ２２）。閲覧者が公開対象者であるか否かは、例えば、閲覧の際に閲覧者が入力した名前又はＩＤ符号と、公開設定データテーブルＴＢ４に設定されている公開対象者の名前又はＩＤ符号とを照合して判定することができる。
【００７６】
サーバ制御部２０２は、閲覧者が、閲覧しようとしている画像ファイルに設定されている公開対象者である場合（ステップＳ２２、ＹＥＳ）、当該画像ファイルに係る位置情報付画像を画像記憶部２１８から読み出す。そして、画像提供者が公開方式に従って処理された位置情報付画像を閲覧者に公開する（ステップＳ２３）。なお、公開方式として、位置情報付画像にパスワードが設定されている場合には、画像提供者からパスワードが知らされている閲覧者が当該パスワードを入力した場合に限り、位置情報付画像を閲覧できることになる。
【００７７】
画像の撮影位置が画像提供者が指定する特定領域内である場合には、公開設定情報として設定されている公開対象者にのみ、設定された公開方式で位置情報付画像を公開することにより、画像提供者のプライバシーが守られる。
【００７８】
サーバ制御部２０２は、閲覧者が、閲覧しようとしている画像ファイルに設定されている公開設定情報の公開対象者でない場合（ステップＳ２２、ＮＯ）、位置情報付画像は公開されない（ステップＳ２４）。従って、画像提供者の特定領域情報は、公開対象者でない閲覧者には公開されず、画像提供者のプライバシーが守られる。
【００７９】
なお、画像の撮影位置が画像提供者の特定領域の範囲外である場合には、全ての閲覧者が公開対象者に設定されているため（図５、画像ファイルｐ、ｑ）、全ての閲覧者に位置情報付画像が公開される。この場合、公開される位置情報は、画像提供者が指定する特定領域でないため、プライバシー上の問題が生じることはない。また、画像の撮影位置が画像提供者の特定領域の範囲外である場合であっても、公開設定情報として設定されている公開対象者にのみ、設定された公開方式で位置情報付画像を公開するものとしてもよい。
【００８０】
［表示例］
図１０Ａは、閲覧者が顔画像登録者であり、画像のみを公開する公開方式が位置情報付画像の送信時に指定されている表示画面２２６の説明図である。公開対象者情報として登録顔画像が登録されている公開対象者Ａが画像ファイルａを閲覧しようとした場合、画像ファイルａには、公開方式（項目１）が設定されているため、画像ファイルａの画像のみが表示画面２２６として表示される。そして、画像の撮影位置を示す自宅の位置情報は、表示されないため、画像提供者のプライバシーが守られる。
【００８１】
図１０Ｂは、閲覧者が公開対象者であり、パスワードを設定して公開する公開方式が指定されている画像に対して、閲覧者がパスワードを入力したときの表示画面２２８の説明図である。公開対象者情報としてＳＮＳ内相互承認会員である公開対象者Ｃが閲覧しようとした場合には、公開方式（項目３）が設定されているため、まず、パスワードの入力が求められる。公開対象者Ｃが、画像ファイルｃに設定されているパスワードを入力することにより、画像ファイルｃの画像と、撮影位置を示すマーク２３０ｃが付された地図画像２３２とが表示画面２２８として表示される。そして、パスワードを入力した公開対象者Ｃは、地図画像２３２に表示されたマーク２３０ｃに従い、撮影位置を知ることができる。
【００８２】
図１１Ａは、閲覧者が公開対象者であり、曖昧処理して公開する公開方式が位置情報付画像の送信時に指定されている表示画面２３４の説明図である。曖昧処理としては、シフト表示が設定されている。公開対象者情報としてＳＮＳ会員である公開対象者Ｂが、画像ファイルｂを閲覧しようとした場合、画像ファイルｂには、公開方式（項目２）が設定されているため、画像の表示位置が地図画像２３６上の特定領域２３８からシフトされ表示画面２３４として表示される。この場合、公開対象者Ｂは、正しい撮影位置を知ることができないため、画像提供者のプライバシーが守られる。なお、図１１Ａに示す特定領域２３８は、説明の都合上、画像の位置をシフトさせる前の特定領域２３８を記載しているが、この特定領域２３８は、実際の表示画面２３４には表示されない。
【００８３】
図１１Ｂは、閲覧者が公開対象者であり、曖昧処理して公開する公開方式が位置情報付画像の送信時に指定されている表示画面２４０の説明図である。曖昧処理としては、拡大表示が設定されている。公開対象者情報としてＳＮＳ会員である公開対象者Ｂが、画像ファイルｂを閲覧しようとした場合、画像ファイルｂには、公開方式（項目２）が設定されているため、画像ファイルｂを拡大させたときに、画像ファイルｂの撮影位置を示す地図画像２４２の拡大が制限される。従って、公開対象者Ｂは、詳細な撮影位置を知ることができないため、画像提供者のプライバシーが守られる。
【００８４】
図１２は、閲覧者が公開対象者であり、画像のみを公開する公開方式が位置情報付画像の送信時に指定された画像を含む複数の画像からなるギャラリの表示画面２４４の説明図である。公開対象者情報として登録顔画像が登録されている公開対象者Ａがギャラリを閲覧しようとした場合、表示画面２４４には、公開対象者Ａが被写体として撮影されている画像ファイルａと、画像提供者の特定領域の範囲外で撮影された画像ファイルｐ、ｑが表示される。この場合、画像ファイルａについては、画像のみを表示する公開方式が指定されているため、画像ファイルａの撮影位置は表示されない。一方、画像ファイルｐ、ｑについては、撮影位置が特定領域の範囲外であるため、地図画像２４６上に撮影位置を示すマーク２３０ｐ、２３０ｑが表示画面２４４として表示される。従って、画像ファイルａについては、画像提供者のプライバシーが守られることになる。
【００８５】
＜第２実施形態の構成＞
次に、第２実施形態の画像公開システム１０について説明する。第１実施形態では、画像公開サーバ２００に位置情報付画像が送信され、公開対象者及び公開方式の処理が行われている。これに対して、第２実施形態では、まず、端末装置１００から画像公開サーバ２００に位置情報のみを送信し、画像公開サーバ２００で受信した位置情報に基づいて位置情報付画像の送信の要否の判定を行う。位置情報付画像の送信が必要であると判定された場合には、端末装置１００から位置情報付画像が画像公開サーバ２００に送信される。画像公開サーバ２００では、位置情報付画像を受信すると、公開対象者及び公開方式の処理が行われる。ただし、位置情報が画像提供者の特定領域外の場合は、公開方式の処理は行われない。第２実施形態の構成は、第１実施形態の構成と同一であるため、図１に示す画像公開システム１０に基づいて動作のみを説明する。
【００８６】
＜第２実施形態の動作＞
図１３は、第２実施形態の画像公開システム１０の処理フローチャートである。
【００８７】
画像の撮影に先立ち、第１実施形態の場合と同様に、初期設定として、特定領域データテーブルＴＢ１、公開対象者データテーブルＴＢ２及び公開条件データテーブルＴＢ３が設定され、公開制限情報記憶部２１４に記憶される（図６、ステップＳ１〜Ｓ４）。
【００８８】
ステップＳ３１〜Ｓ３３は、第１実施形態のステップＳ１１〜Ｓ１３と同様に処理される。すなわち、画像提供者は、端末装置１００の撮影部１０６で画像を撮影し（ステップＳ３１）、また、撮影位置を位置情報取得部１０８で取得し（ステップＳ３２）、位置情報付画像として画像記憶部１１０に記憶させる（ステップＳ３３）。そして、画像記憶部１１０に記憶された位置情報付画像の位置情報、画像ファイル名、及びＩＤ符号が通信部１０４から画像公開サーバ２００に送信される（ステップＳ３４）。なお、この段階においては、位置情報付画像は、画像公開サーバ２００に送信されない。
【００８９】
画像公開サーバ２００のサーバ制御部２０２は、通信部２２０が位置情報、画像ファイル名、及びＩＤ符号を受信すると（ステップＳ３５）、画像ファイル名を公開設定情報記憶部２１６の公開設定データテーブルＴＢ４に設定する。また、サーバ制御部２０２は、画像ファイル名に対応させて、受信した位置情報を公開設定データテーブルＴＢ４に設定する。さらに、サーバ制御部２０２は、公開条件データテーブルＴＢ３として設定されている公開方式を公開制限情報記憶部２１４から読み出し、公開設定データテーブルＴＢ４に設定する（ステップＳ３６）。
【００９０】
次に、位置判定部２０４は、公開制限情報記憶部２１４に記憶されている特定領域データテーブルＴＢ１を読み出し、受信したＩＤ符号に対応する画像提供者の特定領域情報と、公開設定データテーブルＴＢ４に設定された画像ファイルの位置情報とを比較し、位置情報が画像提供者の特定領域の範囲内か否かを判定する（ステップＳ３７）。位置情報が画像提供者の指定している特定領域の範囲内であるときには、当該画像ファイルは、公開を制限する対象となる。
【００９１】
撮影位置が画像提供者の特定領域の範囲内と判定された場合（ステップＳ３７、ＹＥＳ）、サーバ制御部２０２は、公開設定データテーブルＴＢ４に設定されている公開方式を公開設定情報記憶部２１６から読み出し、読み出した公開方式が項目５又は項目６であるか否かを判定する（ステップ３８）。
【００９２】
サーバ制御部２０２は、読み出した公開方式が項目５又は項目６である場合（ステップＳ３８、ＹＥＳ）、端末装置１００からサーバ制御部２０２への位置情報付画像の送信の要否を設定するための情報である画像送信要否情報に位置情報付画像の送信の不要を意味する「Ｎｏ」を設定し（ステップ３９）、画像送信要否情報を端末装置１００へ送信する（ステップ４１）。
【００９３】
一方、読み出した公開方式が項目５又は項目６でない場合（ステップＳ３８、ＮＯ）、サーバ制御部２０２は、画像送信要否情報に位置情報付画像の送信の必要を意味する「Ｙｅｓ」を設定し（ステップ４０）、画像送信要否情報を端末装置１００へ送信する（ステップ４１）。また、撮影位置が画像提供者の特定領域の範囲外と判定された場合（ステップ３７、ＮＯ）、サーバ制御部２０２は、画像送信要否情報に「Ｙｅｓ」を設定し（ステップ４０）、画像送信要否情報を端末装置１００へ送信する（ステップ４１）。
【００９４】
端末制御部１０２は、画像送信要否情報を画像公開サーバ２００から受信する（ステップＳ４２）。受信した画像送信要否情報が、「Ｙｅｓ」である場合、すなわち、位置情報付画像の送信が必要な場合には（ステップＳ４３、ＹＥＳ）、位置情報付画像が画像記憶部１１０から読み出され、位置情報付画像及びＩＤ符号は、通信部１０４から画像公開サーバ２００に送信される（ステップＳ４４）。また、このとき、画像送信要否情報とともに公開方式を受信し、受信した公開方式に応じて、端末制御部１０２が位置情報付画像から位置情報を削除して、画像のみが画像公開サーバ２００に送信されるものとしてもよい。すなわち、受信した公開方式が項目１の場合は位置情報が不要であるので、位置情報付画像から位置情報を削除し、画像のみが送信されるようにしてもよい。一方、受信した画像送信要否情報が、「Ｎｏ」である場合、すなわち、画像の送信が不要な場合には（ステップＳ４３、ＮＯ）、処理が終了する。この場合、画像提供者の特定領域の情報が知られてしまう事態を未然に防ぐことができる。また、画像公開サーバ２００に対して、位置判定部２０４の判定結果に応じて画像送信要否情報を端末装置１００に送信することにより、画像が無駄に送信されることを回避することができる。
【００９５】
サーバ制御部２０２は、端末装置１００から位置情報付画像を受信すると（ステップＳ４５、ＹＥＳ）、位置情報付画像を画像記憶部２１８に記憶させ、公開制限状態設定部２１０は、その位置情報付画像に対して、特定関係及び公開方式に基づく処理を行う。一方、サーバ制御部２０２の確認部２２４は、端末装置１００に対して画像送信要否情報を送信してから、所定時間内に位置情報付画像を受信しない場合、処理を終了する（ステップＳ４５、ＮＯ）。なお、位置情報付画像を受信しない場合は、公開設定データテーブルＴＢ４から当該位置情報付画像に関するデータを削除するようにしてもよい。なお、確認部２２４は、画像送信要否情報に「Ｎｏ」が設定された場合、上記所定時間内であっても、処理を終了するようにしてもよい。
【００９６】
以降の第２実施形態における画像公開サーバ２００の動作（図１３のＳ４６〜Ｓ５３）は、第１実施形態における画像公開サーバ２００の動作（図７のＳ１７〜Ｓ２４）と同様に処理される。
【００９７】
位置判定部２０４は、特定領域データテーブルＴＢ１（図２）を読み出し、受信したＩＤ符号に対応する画像提供者の特定領域情報と、公開設定データテーブルＴＢ４に設定された各画像ファイルの位置情報とを比較し、位置情報に係る撮影位置が特定領域の範囲内か否かを判定する（ステップＳ４６）。
【００９８】
撮影位置が画像提供者の特定領域の範囲内と判定された場合（ステップＳ４６、ＹＥＳ）、公開対象者設定処理部２０６は、公開対象者データテーブルＴＢ２に設定されている特定関係を公開制限情報記憶部２１４から読み出し、その特定関係に関連づけられている公開対象者を決定し、公開を許可する公開対象者情報として設定する（ステップＳ４７）。公開対象者は、公開設定データテーブルＴＢ４に設定され、公開設定情報記憶部２１６に記憶される。
【００９９】
公開方式処理部２０８は、公開設定データテーブルＴＢ４に設定されている公開方式を公開設定情報記憶部２１６から読み出し、画像記憶部２１８に記憶されている公開を許可する位置情報付画像の処理を行う（ステップＳ４８）。公開方式処理部２０８による処理（ステップＳ４８）は、公開対象者設定処理部２０６による処理（ステップＳ４７）の前に行ってもよく、又は、公開対象者設定処理部２０６と並列処理としてもよい。
【０１００】
なお、撮影位置が画像提供者の特定領域の範囲内と判定された場合（ステップＳ４６、ＹＥＳ）、ステップＳ４７及びＳ４８で設定された位置情報付画像の公開対象者や公開方式について、画像提供者に確認してもよい。具体的には、確認部２２４が、撮影位置が特定領域の範囲内であるとの判定結果を端末装置１００に送信し、端末装置１００からの応答結果に基づいて、必要に応じて、公開対象者設定処理部２０６、公開方式処理部２０８に指示し、当該位置情報付画像を非公開の状態に設定し、又は、公開設定情報を書き換えて公開対象者や公開方式を変更するようにしてもよい。
【０１０１】
一方、画像の撮影位置が特定領域の範囲外である場合（ステップＳ４６、ＮＯ）、公開対象者設定処理部２０６は、全ての閲覧者を公開設定データテーブルＴＢ４の公開対象者に設定し、公開制限情報記憶部２１４に記憶させる（ステップＳ４９）。例えば、画像ファイルｐ及びｑの公開設定情報は、公開設定データテーブルＴＢ４に示すように、全ての閲覧者が公開対象者として設定されて公開設定情報記憶部２１６に記憶される（ステップＳ４９）。
【０１０２】
次に、端末装置２０を用いて、閲覧者から画像の閲覧要求があると（ステップＳ５０、ＹＥＳ）、サーバ制御部２０２は、公開設定情報記憶部２１６に記憶されている公開設定情報に基づき、閲覧者が閲覧しようとする画像ファイルに設定されている公開対象者であるか否かを判定する（ステップＳ５１）。閲覧者が公開対象者である場合には（ステップＳ５１、ＹＥＳ）、画像提供者が、位置情報付画像の送信時に指定している公開方式に従って処理された位置情報付画像が閲覧者に公開される（ステップＳ５２）。閲覧者が、閲覧しようとしている画像ファイルに設定されている公開設定情報の公開対象者でない場合には（ステップＳ５１、ＮＯ）、位置情報付画像は公開されない（ステップＳ５３）。
【０１０３】
＜第３実施形態の構成＞
図１４は、第３実施形態の画像公開システム１２のブロック図である。第１実施形態では、位置判定部２０４、公開対象者設定処理部２０６及び公開方式処理部２０８による各処理を画像公開サーバ２００で行っている。これに対して、第３実施形態では、これらの処理を全て端末装置３００で行う。なお、第１実施形態の構成要素と同一の機能を有する構成要素には、同一の参照符号を付し、詳細な説明は省略する。
【０１０４】
画像公開システム１２は、画像提供者が所持する通信機能付デジタルカメラやカメラ付携帯端末装置等の端末装置３００と、端末装置３００を用いて撮影された画像情報を公開する画像公開サーバ４００と、画像公開サーバ２００により公開される画像情報を閲覧するための端末装置２０とを備え、これらの機器がネットワーク３０を介して相互に接続される。
【０１０５】
端末装置３００は、端末制御部１０２と、通信部１０４と、撮影部１０６と、位置情報取得部１０８と、位置判定部３０４と、公開対象者設定処理部３０６及び公開方式処理部３０８を有する公開制限状態設定部３１０と、公開制限情報記憶部３１４と、公開設定情報記憶部３１６と、画像記憶部１１０と、操作部１１２と、表示部１１４とを備え、これらがバス１１６に接続されて構成される。なお、位置判定部３０４、公開対象者設定処理部３０６、公開方式処理部３０８、公開制限状態設定部３１０、公開制限情報記憶部３１４及び公開設定情報記憶部３１６は、各々、第１実施形態の構成要素である位置判定部２０４、公開対象者設定処理部２０６、公開方式処理部２０８、公開制限状態設定部２１０、公開制限情報記憶部２１４及び公開設定情報記憶部２１６と同一の機能を備える。
【０１０６】
画像公開サーバ４００は、サーバ制御部２０２、地図情報記憶部２１２、公開設定情報記憶部２１６、画像記憶部２１８及び通信部２２０を備え、これらがバス２２２に接続されて構成される。
【０１０７】
＜第３実施形態の動作＞
図１５は、第３実施形態の画像公開システム１２の処理フローチャートである。
【０１０８】
画像の撮影に先立ち、初期設定として、特定領域データテーブルＴＢ１、公開対象者データテーブルＴＢ２及び公開条件データテーブルＴＢ３が設定され、公開制限情報記憶部３１４に記憶される。この場合、第１実施形態では、端末装置１００においてブラウザを起動し、画像公開サーバ２００にアクセスして公開制限情報等を設定していた（図６参照）。これに対して、第３実施形態では、画像公開サーバ２００にアクセスする必要はなく、端末装置３００の操作部１１２を用いて公開制限情報等を入力し、入力された公開制限情報等が端末装置３００の公開制限情報記憶部３１４に記憶される。
【０１０９】
ステップＳ６１〜Ｓ６３は、第１実施形態のステップＳ１１〜Ｓ１３と同様に処理される。すなわち、画像提供者は、端末装置３００の撮影部１０６で画像を撮影し（ステップＳ６１）、また、撮影位置を位置情報取得部１０８で取得し（ステップＳ６２）、位置情報付画像として画像記憶部１１０に記憶させる（ステップＳ６３）。
【０１１０】
次のステップＳ６４〜Ｓ６７は、第１実施形態において、画像公開サーバ２００が処理するステップＳ１７〜Ｓ２０と同様に処理される。位置判定部３０４は、公開制限情報記憶部３１４に記憶されている特定領域データテーブルＴＢ１（図２）を読み出し、画像提供者の特定領域情報と、公開設定データテーブルＴＢ４に設定された各画像ファイルの位置情報とを比較する。画像の撮影位置が特定領域の範囲内である場合（ステップＳ６４、ＹＥＳ）、公開対象者設定処理部３０６は、公開対象者データテーブルＴＢ２に設定されている特定関係を公開制限情報記憶部３１４から読み出し、その特定関係に関連づけられている公開対象者を決定し、公開を許可する公開対象者情報として設定する処理を行う（ステップＳ６５）。公開対象者の名前やＩＤ符号等は、公開対象者（ＩＤ符号）として公開設定データテーブルＴＢ４（図５）に設定され、公開設定情報記憶部３１６に記憶される。
【０１１１】
ここで、ステップＳ６５での処理において、公開対象者が設定されない場合がある。例えば、特定関係として、顔画像登録者に公開する項目１（図４Ａ）が指定された場合において、どの画像にも登録顔画像に該当する被写体が写っていないような場合である。この場合には、閲覧できる公開対象者が存在しないため、画像公開サーバ４００に対する位置情報付画像の送信を事前に停止することができる。これにより、位置情報付画像の無駄な送受信を回避することができる。
【０１１２】
また、撮影位置が画像提供者の特定領域の範囲内と判定された場合において（ステップＳ６４、ＹＥＳ）、公開方式処理部３０８は、公開設定データテーブルＴＢ４に設定されている公開方式を公開設定情報記憶部３１６から読み出し、画像記憶部１１０に記憶されている公開を許可する位置情報付画像の処理を行う（ステップＳ６６）。なお、公開方式処理部３０８による処理（ステップＳ６６）は、公開対象者設定処理部２０６による処理（ステップＳ６５）の前に行ってもよく、又は、公開対象者設定処理部３０６と並列処理してもよい。
【０１１３】
一方、撮影位置が特定領域の範囲外と判定された場合（ステップＳ６４、ＮＯ）、公開対象者設定処理部３０６は、全ての閲覧者を公開対象者に設定し、公開設定情報として、公開設定情報記憶部３１６に記憶させる（ステップＳ６７）。端末制御部１０２は、以上のようにして設定された公開設定情報を、位置情報付画像及びＩＤ符号とともに通信部１０４から画像公開サーバ４００に送信する（ステップＳ６８）。また、端末制御部１０２が位置情報付画像から位置情報を削除して、画像のみが画像公開サーバ４００に送信されるものとしてもよい。
【０１１４】
画像公開サーバ４００のサーバ制御部２０２は、位置情報付画像、ＩＤ符号及び公開設定情報を受信すると（ステップＳ６９）、位置情報付画像を画像記憶部２１８に記憶させるとともに、公開設定情報を公開設定データテーブルＴＢ４に設定する（ステップＳ７０）。
【０１１５】
次に、端末装置２０を用いて、閲覧者から画像の閲覧要求があると（ステップＳ７１、ＹＥＳ）、サーバ制御部２０２は、公開設定情報記憶部２１６に記憶されている公開設定情報に基づき、閲覧者が閲覧しようとする画像ファイルに設定されている公開対象者であるか否かを判定する（ステップＳ７２）。閲覧者が公開対象者である場合には（ステップＳ７２、ＹＥＳ）、画像提供者が指定している公開方式に従って処理された位置情報付画像が閲覧者に公開される（ステップＳ７３）。閲覧しようとしている画像ファイルに設定されている公開設定情報の公開対象者でない場合には（ステップＳ７２、ＮＯ）、位置情報付画像は公開されない（ステップＳ７４）。
【０１１６】
＜第４実施形態の構成＞
図１６は、第４実施形態の画像公開システム１４のブロック図である。第１実施形態では、位置判定部２０４、公開対象者設定処理部２０６及び公開方式処理部２０８による各処理を画像公開サーバ２００で行っている。これに対して、第４実施形態では、位置判定部２０４及び公開対象者設定処理部２０６による処理を端末装置５００で行い、公開方式処理部２０８による処理を画像公開サーバ６００で行う。なお、第１実施形態の構成要素と同一の機能を有する構成要素には、同一の参照符号を付し、詳細な説明は省略する。
【０１１７】
画像公開システム１４は、画像提供者が所持する通信機能付デジタルカメラやカメラ付携帯端末装置等の端末装置５００と、端末装置３００を用いて撮影された画像情報を公開する画像公開サーバ６００と、画像公開サーバ６００により公開される画像情報を閲覧するための端末装置２０とを備え、これらの機器がネットワーク３０を介して相互に接続される。
【０１１８】
端末装置５００は、端末制御部１０２、通信部１０４、撮影部１０６、位置情報取得部１０８、位置判定部５０４、公開対象者設定処理部５０６、公開制限情報記憶部５１４、公開設定情報記憶部５１６、画像記憶部１１０、操作部１１２及び表示部１１４を備え、これらがバス１１６に接続されて構成される。なお、位置判定部５０４、公開対象者設定処理部５０６、公開制限情報記憶部５１４及び公開設定情報記憶部５１６は、各々、第１実施形態の構成要素である位置判定部２０４、公開対象者設定処理部２０６、公開制限情報記憶部２１４及び公開設定情報記憶部２１６と同一の機能を備える。
【０１１９】
画像公開サーバ６００は、サーバ制御部２０２、公開方式処理部２０８、地図情報記憶部２１２、公開設定情報記憶部２１６、画像記憶部２１８及び通信部２２０を備え、これらがバス２２２に接続されて構成される。また、サーバ制御部２０２は、端末装置５００に対して所定の確認処理を行う確認部２２４を有する。
【０１２０】
＜第４実施形態の動作＞
図１７は、第４実施形態の画像公開システム１４の処理フローチャートである。
【０１２１】
画像の撮影に先立ち、第３実施形態と同様にして、初期設定として、特定領域データテーブルＴＢ１、公開対象者データテーブルＴＢ２及び公開条件データテーブルＴＢ３が設定され、公開制限情報記憶部５１４に記憶される。
【０１２２】
ステップＳ８１〜Ｓ８６は、第３実施形態のステップＳ６１〜Ｓ６５、Ｓ６７と同様に処理される。すなわち、画像提供者は、端末装置５００の撮影部１０６で画像を撮影し（ステップＳ８１）、また、撮影位置を位置情報取得部１０８で取得し（ステップＳ８２）、位置情報付画像として画像記憶部１１０に記憶させる（ステップＳ８３）。
【０１２３】
次に、位置判定部５０４は、公開制限情報記憶部５１４に記憶されている特定領域データテーブルＴＢ１（図２）を読み出し、画像提供者の特定領域情報と、公開設定データテーブルＴＢ４に設定された各画像ファイルの位置情報とを比較する。画像の撮影位置が特定領域の範囲内である場合（ステップＳ８４、ＹＥＳ）、公開対象者設定処理部５０６は、公開対象者データテーブルＴＢ２に設定されている特定関係を公開制限情報記憶部５１４から読み出し、その特定関係に関連づけられている公開対象者を決定し、公開を許可する公開対象者情報として設定する（ステップＳ８５）。公開対象者の名前やＩＤ符号等は、公開対象者（符号）として公開設定データテーブルＴＢ４（図５）に設定され、公開設定情報記憶部５１６に記憶される。
【０１２４】
一方、撮影位置が特定領域の範囲外と判定された場合（ステップＳ８４、ＮＯ）、公開対象者設定処理部５０６は、全ての閲覧者を公開対象者に設定し、位置情報の判定結果とともに公開設定情報として公開設定情報記憶部５１６に記憶させる（ステップＳ８６）。端末制御部１０２は、以上のようにして設定された位置情報の判定結果を含む公開設定情報を、位置情報付画像及びＩＤ符号とともに画像公開サーバ６００に送信する（ステップＳ８７）。
【０１２５】
画像公開サーバ６００のサーバ制御部２０２は、位置情報付画像、ＩＤ符号及び公開設定情報を受信すると（ステップＳ８８）、位置情報付画像を画像記憶部２１８に記憶させるとともに、開設定情報を公開設定データテーブルＴＢ４に設定する（ステップＳ８９）。
【０１２６】
次いで、端末装置５００から送信された位置情報の判定結果として、撮影位置が特定領域の範囲内と判定されている場合（ステップＳ９０、ＹＥＳ）、公開方式処理部２０８は、公開設定データテーブルＴＢ４に設定されている公開方式を公開設定情報記憶部２１６から読み出し、画像記憶部２１８に記憶されている公開を許可する位置情報付画像の処理を行う（ステップＳ９１）。
【０１２７】
なお、撮影位置が画像提供者の特定領域の範囲内と判定された場合（ステップＳ９０、ＹＥＳ）、サーバ制御部２０２の確認部２２４は、ステップＳ８５及びＳ９１で設定された位置情報付画像の公開対象者や公開方式について、画像提供者に確認し、必要に応じて、当該位置情報付画像を非公開の状態に設定し、又は、公開設定情報を書き換えて公開対象者や公開方式を変更するようにしてもよい。
【０１２８】
次に、端末装置２０を用いて、閲覧者から画像の閲覧要求があると（ステップＳ９２、ＹＥＳ）、サーバ制御部２０２は、公開設定情報記憶部２１６に記憶されている公開設定情報に基づき、閲覧者が閲覧しようとする画像ファイルに設定されている公開対象者であるか否かを判定する（ステップＳ９３）。閲覧者が公開対象者である場合には（ステップＳ９３、ＹＥＳ）、画像提供者が指定している公開方式に従って処理された位置情報付画像が閲覧者に公開される（ステップＳ９４）。閲覧しようとしている画像ファイルに設定されている公開設定情報の公開対象者でない場合には（ステップＳ９３、ＮＯ）、位置情報付画像は公開されない（ステップＳ９５）。
【０１２９】
＜第５実施形態の構成＞
図１８は、第５実施形態の画像公開システム１６のブロック図である。第１実施形態では、位置判定部２０４、公開対象者設定処理部２０６及び公開方式処理部２０８による各処理を画像公開サーバ２００で行っている。これに対して、第５実施形態では、位置判定部２０４及び公開方式処理部２０８による処理を端末装置７００で行い、公開対象者設定処理部２０６による処理を画像公開サーバ８００で行う。なお、第１実施形態の構成要素と同一の機能を有する構成要素には、同一の参照符号を付し、詳細な説明は省略する。
【０１３０】
画像公開システム１６は、画像提供者が所持する通信機能付デジタルカメラ、カメラ付携帯端末装置等の端末装置７００と、端末装置７００を用いて撮影された画像情報を公開する画像公開サーバ８００と、画像公開サーバ８００により公開される画像情報を閲覧するための端末装置２０とを備え、これらの機器がネットワーク３０を介して相互に接続される。
【０１３１】
端末装置７００は、端末制御部１０２、通信部１０４、撮影部１０６、位置情報取得部１０８、位置判定部７０４、公開方式処理部７０８、公開制限情報記憶部７１４、公開設定情報記憶部７１６、画像記憶部１１０、操作部１１２及び表示部１１４を備え、これらがバス１１６に接続されて構成される。公開制限情報記憶部（特定領域情報記憶部）７１４には、特定情報が記憶される。なお、位置判定部７０４、公開方式処理部７０８及び公開設定情報記憶部７１６は、各々、第１実施形態の構成要素である位置判定部２０４、公開方式処理部２０８及び公開設定情報記憶部２１６と同一の機能を備える。
【０１３２】
画像公開サーバ８００は、サーバ制御部２０２、公開対象者設定処理部２０６、地図情報記憶部２１２、公開制限情報記憶部（公開対象者情報記憶部）２１４ａ、公開設定情報記憶部２１６、画像記憶部２１８及び通信部２２０を備え、これらがバス２２２に接続されて構成される。公開制限情報記憶部２１４ａには、公開対象者情報が記憶される。また、サーバ制御部２０２は、端末装置７００に対して所定の確認処理を行う確認部２２４を有する。
【０１３３】
＜第５実施形態の動作＞
図１９は、第５実施形態の画像公開システム１６の処理フローチャートである。
【０１３４】
画像の撮影に先立ち、第３実施形態と同様にして、初期設定として、特定領域データテーブルＴＢ１、公開対象者データテーブルＴＢ２及び公開条件データテーブルＴＢ３が設定され、特定領域データテーブルＴＢ１及び公開条件データテーブルＴＢ３が公開制限情報記憶部５１４に記憶される。また、公開対象者データテーブルＴＢ２及び公開条件データテーブルＴＢ３は、画像公開サーバ８００に送信され、公開制限情報記憶部２１４ａに記憶される。
【０１３５】
ステップＳ１０１〜Ｓ１０４は、第３実施形態のステップＳ６１〜Ｓ６４と同様に処理される。すなわち、画像提供者は、端末装置７００の撮影部１０６で画像を撮影し（ステップＳ１０１）、また、撮影位置を位置情報取得部１０８で取得し（ステップＳ１０２）、位置情報付画像として画像記憶部１１０に記憶させる（ステップＳ１０３）。
【０１３６】
次に、位置判定部７０４は、公開制限情報記憶部７１４に記憶されている特定領域データテーブルＴＢ１（図２）を読み出し、画像提供者の特定領域情報と、公開設定データテーブルＴＢ４に設定された各画像ファイルの位置情報とを比較する。画像の撮影位置が特定領域の範囲内である場合（ステップＳ１０４、ＹＥＳ）、公開方式処理部７０８は、公開設定データテーブルＴＢ４に設定されている公開方式を公開設定情報記憶部７１６から読み出し、画像記憶部１１０に記憶されている公開を許可する位置情報付画像の処理を行う（ステップＳ１０５）。
【０１３７】
端末制御部１０２は、位置情報付画像、ＩＤ符号及び位置情報の判定結果を含む公開設定情報を画像公開サーバ８００に送信する（ステップＳ１０６）。また、端末制御部１０２が位置情報付画像から位置情報を削除して、画像のみが画像公開サーバ８００に送信されるものとしてもよい。
【０１３８】
画像公開サーバ８００のサーバ制御部２０２は、位置情報付画像及び公開設定情報を受信すると（ステップＳ１０７）、位置情報付画像を画像記憶部２１８に記憶させるとともに、公開設定情報を公開設定データテーブルＴＢ４に設定する（ステップＳ１０８）。
【０１３９】
次いで、端末装置７００から送信された位置情報の判定結果として、撮影位置が特定領域の範囲内と判定されている場合（ステップＳ１０９、ＹＥＳ）、公開対象者設定処理部２０６は、公開条件データテーブルＴＢ３に設定されている特定関係を公開制限情報記憶部２１４ａから読み出し、その特定関係に関連づけられている公開対象者を決定する。また、公開対象者設定処理部２０６は、公開対象者データテーブルＴＢ２に設定されている特定関係を公開制限情報記憶部２１４ａから読み出し、その特定関係に関連付けられている公開対象者を決定し、公開を許可する公開対象者として設定する（ステップＳ１１０）。公開対象者は、公開設定データテーブルＴＢ４に設定され、公開設定情報記憶部２１６に記憶される。
【０１４０】
なお、撮影位置が画像提供者の特定領域の範囲内と判定された場合（ステップＳ１１０、ＹＥＳ）、サーバ制御部２０２の確認部２２４は、ステップＳ１０５及びＳ１１０で設定された位置情報付画像の公開対象者や公開方式について、画像提供者に確認し、必要に応じて、当該位置情報付画像を非公開の状態に設定し、又は、公開設定情報を書き換えて公開対象者や公開方式を変更するようにしてもよい。
【０１４１】
一方、撮影位置が特定領域の範囲外である場合（ステップＳ１０９、ＮＯ）、公開対象者設定処理部２０６は、全ての閲覧者を公開対象者に設定し、位置情報の判定結果とともに公開設定情報として公開設定情報記憶部２１６に記憶させる（ステップＳ１１１）。
【０１４２】
次に、端末装置２０を用いて、閲覧者から画像の閲覧要求があると（ステップＳ１１２、ＹＥＳ）、サーバ制御部２０２は、公開設定情報記憶部２１６に記憶されている公開設定情報に基づき、閲覧者が閲覧しようとする画像ファイルに設定されている公開対象者であるか否かを判定する（ステップＳ１１３）。閲覧者が公開対象者である場合には（ステップＳ１１３、ＹＥＳ）、画像提供者が、位置情報付画像の送信時に指定している公開方式に従って処理された位置情報付画像が閲覧者に公開される（ステップＳ１１４）。閲覧者が、閲覧しようとしている画像ファイルに設定されている公開設定情報の公開対象者でない場合には（ステップＳ１１３、ＮＯ）、位置情報付画像は公開されない（ステップＳ１１５）。
【０１４３】
なお、本発明は、上述した実施形態に限定されるものではなく、本発明の主旨を逸脱しない範囲で変更することが可能である。
【０１４４】
上記実施形態では、位置判定部２０４（３０４、５０４、７０４）は、特定領域データテーブルＴＢ１を読み出し、画像提供者の特定領域情報と、公開設定データテーブルＴＢ４に設定された各画像ファイルの位置情報とを比較し、位置情報に係る撮影位置がいずれかの特定領域の範囲内か否かを判定しているが、これに限定されるものではない。例えば、画像提供者と特定関係にある公開対象者の特定領域情報と各画像ファイルの位置情報を比較し、位置情報に係る撮影位置がいずれかの特定領域の範囲内か否かを判定してもよい。かかる場合には、特定領域データテーブルＴＢ１は、図２０に示す特定領域データテーブルＴＢ５のように、画像提供者と特定関係にある公開対象者を特定する公開対象者名又はＩＤ符号（Ａ〜Ｗ）と、特定領域情報（ＰＡ〜ＰＷ）とから構成される。この場合、特定領域は、画像提供者の特定領域と同様である。かかる場合においては、位置情報に係る撮影位置がいずれかの特定領域の範囲内か否かの判定において、画像に写っている人物を抽出し、公開対象者データテーブルＴＢ２に基づいて、公開対象者を特定した後に、位置情報に係る撮影位置がいずれかの特定領域の範囲内か否かの判定が行われる。また、画像に写っている人物が複数人いる場合には、特定人の公開方式としてもよく、さらに、公開方式としてセキュリティが高い方式、例えば、パスワードを設定しての公開としてもよい。この実施形態では、画像提供者が撮影した写真が、写真に写っている画像提供者と特定関係にある人物の特定領域内で撮影された場合に、公開設定情報として設定されている公開対象者にのみ、設定された公開方式で位置情報付画像を公開することにより、当該特定関係にある人物のプライバシーが守られる。
【０１４５】
また、上記実施形態では、各画像ファイルの特定関係および公開方式は、位置情報付画像の送信時に設定されているがこれに限定されるものではない。例えば、初期設定時に指定され公開条件データテーブルＴＢ３に記憶された特定関係及び公開方式をデフォルト値として使用するようにしてもよい。また、位置情報付画像の送信後に、適宜、画像提供者が設定を変更してもよい。さらに、位置情報付画像の送信時にその都度、設定するようにしてもよい。さらにまた、画像ファイルのすべてに対して、一括して同一設定に変更するようにしてもよい。
【０１４６】
さらに、上記実施形態において、図４Ａ、４Ｂに示されるように、特定関係及び公開方式を設定するようにしているがこれに限定されるものではない。例えば、特定関係又は公開方式の少なくとも一方を設定するようにしてもよい。また、特定関係については、図４Ａに示されるように、１〜６の態様であるがこれに限定されるものではない。例えば、閲覧者全員に公開する形態を設定できるようにしてもよい。さらに、公開方式については、図４Ｂに示されるように、１〜６の方式であるがこれに限定されるものではない。例えば、画像及び位置情報を公開する方式を設定できるようにしてもよい。
【０１４７】
画像公開システムは、上述した各実施形態の構成に限定されるものではなく、種々の構成とすることができる。例えば、図１６に示す画像公開システム１４に対して、画像公開サーバ６００が、公開制限情報記憶部５１４、位置判定部５０４及び公開対象者設定処理部５０６を有し、端末装置５００が公開方式処理部２０８を有する構成とすることができる。この場合、画像公開サーバ６００は、位置情報の位置判定処理及び公開対象者の設定処理を行い、端末装置５００は、公開方式の設定処理を行う。
【０１４８】
また、図１８に示す画像公開システム１６に対して、画像公開サーバ８００が公開方式処理部７０８を有する構成とすることができる。この場合、画像公開サーバ６００は、公開方式の設定処理を行う。
【０１４９】
また、図１８に示す画像公開システム１６に対して、端末装置７００が、公開対象者データテーブルＴＢ２を記憶する公開制限情報記憶部２１４ａ及び公開対象者設定処理部２０６を有し、画像公開サーバ８００が、特定領域データテーブルＴＢ１を記憶する公開制限情報記憶部７１４及び位置判定部７０４を有し、端末装置７００又は画像公開サーバ８００が、公開方式処理部７０８を有する構成とすることができる。この場合、端末装置７００は、公開対象者の設定処理を行い、画像公開サーバ８００は、位置情報の判定処理を行う。
【符号の説明】
【０１５０】
１０、１２、１４、１６…画像公開システム
２０、１００、３００、５００、７００…端末装置
３０…ネットワーク
１０２…端末制御部
１０４、２２０通信部
１０６…撮影部
１０８…位置情報取得部
１１０、２１８…画像記憶部
１１２…操作部
１１４…表示部
１１６、２２２…バス
２００、４００、６００、８００…画像公開サーバ
２０２…サーバ制御部
２０４、３０４、５０４、７０４…位置判定部
２０６、３０６、５０６…公開対象者設定処理部
２０８、３０８、７０８…公開方式処理部
２１０、３１０…公開制限状態設定部
２１２…地図情報記憶部
２１４、２１４ａ、３１４、５１４、７１４…公開制限情報記憶部
２１５、２１７…データテーブル
２１６、３１６、５１６、７１６…公開設定情報記憶部
２２５…タグ
２２６、２２８、２３４、２４０…表示画面
２３０ｃ、２３０ｐ、２３０ｑ…マーク
２３２、２３６、２４２、２４６…地図画像
２３８…特定領域
ＴＢ１、ＴＢ５…特定領域データテーブル
ＴＢ２…公開対象者データテーブル
ＴＢ３…公開条件データテーブル
ＴＢ４…公開設定データテーブル
【図１】
2014078788.tif 000003
【図２】
2014078788.tif 000004
【図３】
2014078788.tif 000005
【図４】
2014078788.tif 000006
【図５】
2014078788.tif 000007
【図６】
2014078788.tif 000008
【図７】
2014078788.tif 000009
【図８】
2014078788.tif 000010
【図９】
2014078788.tif 000011
【図１０】
2014078788.tif 000012
【図１１】
2014078788.tif 000013
【図１２】
2014078788.tif 000014
【図１３】
2014078788.tif 000015
【図１４】
2014078788.tif 000016
【図１５】
2014078788.tif 000017
【図１６】
2014078788.tif 000018
【図１７】
2014078788.tif 000019
【図１８】
2014078788.tif 000020
【図１９】
2014078788.tif 000021
【図２０】
2014078788.tif 000022